(57)【要約】【課題】ヒータに流す電流値をゼロ値から立ち上げる際に実行する位相制御において、異音が目立つことを抑制する画像形成装置を提供する。【解決手段】ヒータに流す電流値をゼロから目標値に立ち上げるまでの間に、電流波形の半波期間中に占める通電時間の割合であるデューティ比Ｄ１（Ｄ２）を目標値が得られるデューティ比Ｄ０（=100％）よりも抑制するようにスイッチ部を駆動することにより、ヒータに突入電流が流れることを抑制する位相制御を実行する。位相制御において異音が生じない又は生じる異音が所定音量以下となる異音抑制デューティ比Ｄ１が予め設定されており、位相制御の実行期間Ｔを、位相制御の実行期間Ｔの５０％を超える第一段階期間Ｔ１と残りの第二段階期間Ｔ２の二つの期間に区分し、第一段階期間Ｔ１では異音抑制デューティ比Ｄ１で通電し、その後の第二段階期間Ｔ２では異音抑制デューティ比Ｄ１よりも高い第二デューティ比Ｄ２で通電する。【選択図】図３
2013167813.tif 000002
【特許請求の範囲】
【請求項１】
通電により発熱するヒータと、前記ヒータの加熱により記録媒体に画像を熱定着させる定着部と、交流電源から前記ヒータに至る通電経路を導通状態又は切断状態のいずれかに切り替えるスイッチ部と、前記スイッチ部を駆動して前記ヒータへの通電を制御する通電制御部とを備え、
前記通電制御部は、前記ヒータに流す電流値をゼロから目標値に立ち上げるまでの間に、電流波形の半波期間中に占める通電時間の割合であるデューティ比を前記目標値が得られるデューティ比よりも抑制するように前記スイッチ部を駆動することにより、前記ヒータに突入電流が流れることを抑制する位相制御を実行するように構成され、
前記位相制御において異音が生じない又は生じる異音が所定音量以下となる異音抑制デューティ比が予め設定されており、
前記通電制御部は、前記位相制御の実行期間を、当該位相制御の実行期間の５０％を超える第一段階期間と残りの第二段階期間の二つの期間に区分し、前記第一段階期間では前記異音抑制デューティ比で通電し、その後の前記第二段階期間では前記異音抑制デューティ比よりも高い第二デューティ比で通電するように構成されている画像形成装置。
【請求項２】
前記第一段階期間は、前記位相制御の実行期間の７５％以上に設定されている請求項１に記載の画像形成装置。
【請求項３】
通電により発熱するヒータと、前記ヒータの加熱により記録媒体に画像を熱定着させる定着部と、交流電源から前記ヒータに至る通電経路を導通状態又は切断状態のいずれかに切り替えるスイッチ部とを備える画像形成装置において、前記スイッチ部を駆動して前記ヒータへの通電を制御するヒータへの通電制御方法であって、
前記ヒータに流す電流値をゼロから目標値に立ち上げるまでの間に、電流波形の半波期間中に占める通電時間の割合であるデューティ比を前記目標値が得られるデューティ比よりも抑制するように前記スイッチ部を駆動することにより、前記ヒータに突入電流が流れることを抑制する位相制御を実行するステップを含み、
前記位相制御の実行期間を、当該位相制御の実行期間の５０％を超える第一段階期間と残りの第二段階期間の二つの期間に区分した場合に、前記第一段階期間では予め設定した異音抑制デューティ比で通電し、その後の前記第二段階期間では前記異音抑制デューティ比よりも高い第二デューティ比で通電することを特徴とするヒータへの通電制御方法。
【発明の詳細な説明】
【技術分野】
【０００１】
本発明は、記録媒体に画像を形成する画像形成装置、及び定着部を加熱するヒータへの通電制御方法に関する。
【背景技術】
【０００２】
従来から、コピー機やプリンタ等に代表される画像形成装置は、加熱することにより、用紙などの記録媒体に付着したトナーを記録媒体に熱定着させる方法が採用されている。適切な熱定着を実現するために、画像形成装置は、定着部を加熱するヒータと、交流電源からヒータに至る通電経路を導通状態又は切断状態のいずれかに切り替えるトライアック等のスイッチ部と、定着部の温度が所望の温度になるようにスイッチ部を駆動してヒータへの通電を制御する通電制御部とを備える構成が通例である。
【０００３】
電源投入時やジョブ開始時など、ヒータに流す電流値をゼロ値から目標値に立ち上げる際に、交流電源をただ単にヒータに接続したのでは、目標値を超える多大な突入電流がヒータに流れてしまい、電圧変動や周囲の機器に悪影響を及ぼすフリッカなどを招来するおそれがある。
【０００４】
突入電流を抑制する一つの有効な手段として例えば特許文献１及び２には、ヒータに流す電流値をゼロ値から目標値に徐々に大きくするソフトスタートとも呼ばれる位相制御が開示されている。位相制御は、電流波形の半波期間中に占める通電時間の割合であるデューティ比を目標値が得られるデューティ比（例えば１００％）よりも抑制するように、トライアック等のスイッチ部を駆動することにより、突入電流を抑制する制御である。例えば特許文献２は、デューティ比を０％→１００％に徐々に漸増させる例を開示している。
【先行技術文献】
【特許文献】
【０００５】
【特許文献１】特開２００６−３５１４００号公報
【特許文献２】特開２００２−２６８４４７号公報
【発明の概要】
【発明が解決しようとする課題】
【０００６】
しかしながら、上記の位相制御は、電流を制御するためヒータに突入電流が流れることを防止するうえでは効果があるが、電流波形の半波期間中にスイッチ部を駆動するため、電気部品（コイル、トランス等のＬ成分を含む部品やスイッチ部など）からうなり音（異音）が発生してしまう。異音の音量は、デューティ比が大きくなるほど、すなわち電流値が大きくなるほど、増大してしまう。
【０００７】
本発明は、このような課題に着目してなされたものであって、その目的は、ヒータに流す電流値をゼロ値から立ち上げる際に実行する位相制御において、異音が目立つことを抑制する画像形成装置を提供することである。
【課題を解決するための手段】
【０００８】
本発明は、かかる目的を達成するために、次のような手段を講じている。
【０００９】
すなわち、本発明の画像形成装置は、通電により発熱するヒータと、前記ヒータの加熱により記録媒体に画像を熱定着させる定着部と、交流電源から前記ヒータに至る通電経路を導通状態又は切断状態のいずれかに切り替えるスイッチ部と、前記スイッチ部を駆動して前記ヒータへの通電を制御する通電制御部とを備え、前記通電制御部は、前記ヒータに流す電流値をゼロから目標値に立ち上げるまでの間に、電流波形の半波期間中に占める通電時間の割合であるデューティ比を前記目標値が得られるデューティ比よりも抑制するように前記スイッチ部を駆動することにより、前記ヒータに突入電流が流れることを抑制する位相制御を実行するように構成され、前記位相制御において異音が生じない又は生じる異音が所定音量以下となる異音抑制デューティ比が予め設定されており、前記通電制御部は、前記位相制御の実行期間を、当該位相制御の実行期間の５０％を超える第一段階期間と残りの第二段階期間の二つの期間に区分し、前記第一段階期間では前記異音抑制デューティ比で通電し、その後の前記第二段階期間では前記異音抑制デューティ比よりも高い第二デューティ比で通電するように構成されている。
【００１０】
このように構成すれば、異音が発生し得る位相制御を実行する期間のうち、異音が目立ちにくい異音抑制デューティ比で通電する第一段階期間を長く設定し、異音が目立つおそれのある第二段階期間を短く設定しているので、デューティ比をただ単に徐々に漸増させるだけの従来の位相制御に比して異音を目立ちにくくすることができる。
【００１１】
異音抑制の効果をより一層顕著にするためには、前記第一段階期間は、前記位相制御の実行期間の７５％以上に設定されていることが好ましい。
【００１２】
本発明は、ヒータへの通電方法として特定することが可能となる。すなわち、本発明は、通電により発熱するヒータと、前記ヒータの加熱により記録媒体に画像を熱定着させる定着部と、交流電源から前記ヒータに至る通電経路を導通状態又は切断状態のいずれかに切り替えるスイッチ部とを備える画像形成装置において、前記スイッチ部を駆動して前記ヒータへの通電を制御するヒータへの通電制御方法であって、前記ヒータに流す電流値をゼロから目標値に立ち上げるまでの間に、電流波形の半波期間中に占める通電時間の割合であるデューティ比を前記目標値が得られるデューティ比よりも抑制するように前記スイッチ部を駆動することにより、前記ヒータに突入電流が流れることを抑制する位相制御を実行するステップを含み、前記位相制御の実行期間を、当該位相制御の実行期間の５０％を超える第一段階期間と残りの第二段階期間の二つの期間に区分した場合に、前記第一段階期間では予め設定した異音抑制デューティ比で通電し、その後の前記第二段階期間では前記異音抑制デューティ比よりも高い第二デューティ比で通電することを特徴とする。
【００１３】
異音抑制デューティ比は、位相制御において異音が生じない又は生じる異音が所定音量以下となるデューティ比を意味し、この異音抑制デューティ比は予め実験や計測により設定される。この方法によれば、上記と同様に、ただ単にデューティ比を徐々に大きくする従来の位相制御に比して異音を目立ちにくくすることができる。
【発明の効果】
【００１４】
本発明は、以上説明したように、異音が発生し得る位相制御を実行する期間のうち、異音が目立ちにくい異音抑制デューティ比で通電する第一段階期間を長く設定し、異音が目立つおそれのある第二段階期間を短く設定しているので、デューティ比をただ単に徐々に漸増させるだけの従来の位相制御に比して異音を目立ちにくくすることが可能となる。
【図面の簡単な説明】
【００１５】
【図１】本発明に係る画像形成装置を示す概要図。
【図２】画像形成装置の構成要素を模式的に示すブロック図。
【図３】ヒータに流れる電流値の一例を模式的に示す図。通電制御の一例を示す状態遷移図。
【図４Ａ】位相制御の第一段階における電流波形の一例を模式的に示す図。
【図４Ｂ】位相制御の第二段階における電流波形の一例を模式的に示す図。
【図５】ＣＰＵで実行される位相制御処理ルーチンを示すフローチャート。
【発明を実施するための形態】
【００１６】
以下、本発明の一実施形態に係る画像形成装置を、図面を参照して説明する。
【００１７】
画像形成装置１０は、図１に概略的に示すように、プリンタ１に組み込まれている。画像形成装置１０は、印刷用紙などの記録媒体１７にトナーを熱定着させるための定着部１２と、定着部１２を加熱するためのヒータ１５と、定着部１２の温度を検出するサーミスタ等の温度検出部１６とを備える。なお、この実施形態では、ヒータとしてハロゲンランプを使用しているが、セラミックヒータや面状発熱体など適宜変更可能である。
【００１８】
定着部１２は、ヒータ１５により加熱される加熱ローラ１３と、加熱ローラ１３と共に記録媒体１７を厚み方向両側から狭持する加圧ローラ１４とを有する。トナーが付着した印刷用紙などの記録媒体１７は、加熱ローラ１３及び加圧ローラ１４で狭持された状態で両ローラの間を通り、加圧及び加熱される。これにより、トナーが記録媒体１７に熱定着する。ヒータ１５は、電源１１から通電されることにより発熱する。
【００１９】
図２は、画像形成装置を模式的に示すブロック図である。画像形成装置は、図２に示すように、通電により発熱するヒータ１５と、ヒータ１５の加熱により記録媒体に画像を熱定着させる定着部１２と、定着部１２の温度を検出するサーミスタ等の温度検出部１６と、交流電源１１からヒータ１５に至る通電経路を導通状態又は切断状態のいずれかに切り替えるスイッチ部３０と、スイッチ部３０を駆動してヒータ１５への通電を制御する通電制御部２とを有する。通電制御部２は、スイッチ部３０を駆動させるための通電指令ｈｃを出力する。
【００２０】
通電制御部２は、図３に示すように、電源が投入された時又はジョブが開始された時に、ヒータ１５に流す電流値をゼロ値から所定の目標値に立ち上げるまでの間に位相制御を実行する。位相制御の実行後には、所定の通電制御に移行する。この所定の通電制御は、例えば半波期間中に占める通電時間の割合であるデューティ比を１００％にした通電や、温度検出部１６で検出した検出温度に基づき所定周期に占める半波の数を増減させる間引き制御などが挙げられる。本実施形態において所定の通電制御では、１００％のデューティ比で通電を行う。
【００２１】
通電制御部２が実行する位相制御は、図４Ａ及び図４Ｂに示すように、電流波形の半波期間中Ｐ０に占める通電時間Ｐ１の割合であるデューティ比Ｄ１（Ｄ２）を目標値が得られるデューティ比Ｄ０（Ｄ０＝100%）よりも抑制するように（Ｄ１＜Ｄ０、Ｄ２＜Ｄ０）、スイッチ部３０を駆動することにより、ヒータ１５に突入電流が流れることを抑制する制御である。デューティ比が大きいほどヒータ１５に流れる電流値が大きくなり、ヒータ１５の発熱量が増大する。逆に、デューティ比が小さいほどヒータ１５に流れる電流値が小さくなり、ヒータ１５の発熱量が少なくなる。
【００２２】
位相制御時においては、半波期間中にスイッチ部３０を駆動するため、電流値（デューティ比）に応じた音量の異音が発生する。そこで、位相制御時において異音が生じない又は生じる異音が所定音量Ｎ[dB]以下となる異音抑制デューティ比Ｄ１が予め実験や測定に基づき設定されるのが好ましい。異音は、人の可聴領域の周波数で計測するのが良く、所定音量Ｎは製品仕様によって適宜設定するとよい。また、異音抑制デューティ比Ｄ１は、ヒータや機器の特性に応じて定まるため、適宜変更可能である。
【００２３】
図３に示すように、通電制御部２は、位相制御の実行期間Ｔを、当該位相制御の実行期間Ｔの５０％を超える第一段階期間Ｔ１と残りの第二段階期間Ｔ２の二つの期間に区分し、第一段階期間Ｔ１では異音抑制デューティ比Ｄ１で通電し、第二段階期間Ｔ２では異音抑制デューティ比Ｄ１よりも高い第二デューティ比Ｄ２で通電するように構成されている。第一段階期間Ｔ１は、位相制御の実行期間Ｔの５０％を超える長さであればよいが、７５％以上が好ましい。
【００２４】
上記構成を実現する具体的な構成を以下で説明する。
【００２５】
図２に示すように、通電制御部２は、主としてメイン基板に実装されたＣＰＵ２０（Central Processing Unit）及びゲートアレイ２１で実現されている。ＣＰＵ２０及びゲートアレイ２１は、低圧電源基板に実装された二次側電源３２から電力の供給を受けるように構成されている。二次側電源３２は、コンセントを介して外部の交流電源１１（例えばＡＣ１００ｖ）に接続され、交流電源１１からの電力を供給に適した形（例えば所定電圧の直流等）に変換するスイッチング回路を主体としている。また、低圧電源基板には、交流電圧のゼロ電位の通過を検出し、ゼロクロス信号ｚｃを出力するゼロクロス検知回路３３が設けられている。ゼロクロス信号ｚｃは、ゲートアレイ２１に入力される。
【００２６】
通電制御部２の一部を構成するゲートアレイ２１は、ＣＰＵ２０からの指令値（例えばデューティ比を示す値、通電期間を示す値）を記憶するレジスタ２２と、メイン基板に実装された図示しないクロック発生部から出力されるクロック信号ｃｃに基づき時間を計測するカウンタ２４、レジスタ２２に記憶されている指令値とゼロクロス信号ｚｃとカウンタ２４の計測する時間とに基づき通電指令ｈｃを出力する通電指令出力回路２３とを有する。本実施形態では、通電指令ｈｃは、ヒータコントロール信号とも呼ばれるため、上記通電指令出力回路２３は、ヒータコントロール信号出力回路とも呼ばれる。また、本実施形態では、ゲートアレイ２１は、ＦＰＧＡ（Field-Programmable Gate Array）を用いて構成されている。
【００２７】
指令部２の一部を構成するＣＰＵ２０は、メモリに予め記憶された図５に示す位相制御処理ルーチン等の所要のプログラムを実行することにより、ハードウェア資源と協働して、デューティ比設定部２５と、継続時間設定部２６とを実現する。
【００２８】
デューティ比設定部２５は、電源が投入されたとき又はジョブが開始された時に、メモリ２７に記憶されている異音抑制デューティ比Ｄ１、第二デューティ比Ｄ２をゲートアレイ２１のレジスタ２２に設定する。
【００２９】
継続時間設定部２６は、電源が投入されたとき又はジョブが開始された時に、メモリ２７に予め記憶されている第一段階期間Ｔ１、第二段階期間Ｔ２をゲートアレイ２１のレジスタ２２に設定し、第一段階期間Ｔ１で異音抑制デューティ比Ｄ１での通電が完了すると、第二段階期間Ｔ２で第二デューティ比Ｄ２での通電を行う。
【００３０】
本実施形態では、図４Ａに示すように、異音抑制デューティ比Ｄ１は12.5%（1/8）に設定され、図４Ｂに示すように、第二デューティ比Ｄ２は25%（1/4）に設定され、図３に示すように、第一段階期間Ｔ１はクロック50回に設定され、第二段階期間Ｔ２はクロック10回に設定されている。第一段階期間Ｔ１は、50Hzのシステムで500msとなり、60Hzのシステムで400msとなる。第二段階期間Ｔ２は、50Hzのシステムで100msとあり、60Hzのシステムで80msとなる。位相制御の実行期間Ｔは、第一段階期間Ｔ１と第二段階期間Ｔ２の合計であるので、50Hzのシステムで600msとなり、60Hzのシステムで480msとなる。
【００３１】
本実施形態では、第一段階期間Ｔ１を、位相制御の実行期間Ｔの７５％以上にしているが、位相制御の実行期間Ｔの少なくとも５０％を超えていれば、従来に比して効果を得ることが可能である。なお、位相制御の実行期間Ｔを長く設定した場合には、FCOT(First Print Oputput Time)時間（印刷開始指示から最初の一枚目の印刷が排出されるまでの時間）が長くなってしまうため、位相制御の実行期間Ｔの長さは、仕様に応じて適宜設定される。
【００３２】
図２に示すように、スイッチング素子３０と交流電源１１との間には、ノイズを除去するためのラインフィルタ３１が設けられている。スイッチング素子３０（トライアック）は、通電指令ｈｃに応じたタイミングで通電経路をオンオフし、これにより、通電指令ｈｃで指示されたデューティ比での通電を行うように構成されている。
【００３３】
上記構成の画像形成装置の動作を説明する。図２及び図３に示すように、定着部１２による定着を開始するため、電源が投入され又はジョブが開始された場合（図５の処理Ｓ１：ＹＥＳ参照）には、ＣＰＵ２０が、異音抑制デューティ比Ｄ１及び第一段階期間Ｔ１、第二デューティ比Ｄ２及び第二段階期間Ｔ２を示す指令値をゲートアレイ２１のレジスタ２２に設定する(図５の処理Ｓ２及びＳ３参照)。すると、ゲートアレイ２１が、異音抑制デューティ比Ｄ１で通電する通電指令ｈｃを出力するため、異音抑制デューティ比Ｄ１での通電が第一段階期間Ｔ１の間実施される（図５の処理Ｓ４及びＳ５参照）。第一段階期間Ｔ１では予め計測に基づき同定した異音抑制デューティ比Ｄ１で通電するため、異音が目立ちにくい。
【００３４】
異音抑制デューティ比Ｄ１での通電が完了した場合には（図５の処理Ｓ５：ＹＥＳ参照）、ゲートアレイ２１が、第二デューティ比Ｄ２で通電する通電指令ｈｃを出力するため、第二デューティ比Ｄ２での通電が第二段階期間Ｔ２の間実施される（図５の処理Ｓ６及びＳ７参照）。第二段階期間Ｔ２では異音抑制デューティ比Ｄ１よりも高い第二デューティ比Ｄ２で通電するため、異音が目立つおそれがあるが、位相制御の実行期間Ｔの少なくとも５０％よりも短いため、異音を目立ちにくくしてある。本実施形態では、第一段階期間Ｔ１を、位相制御の実行期間Ｔの７５％よりも長くしているため、異音をより一層目立ちにくくしている。第二デューティ比Ｄ２での通電が完了した場合には（図５の処理Ｓ７：ＹＥＳ参照）、既存の所定の通電制御に移行する（図５の処理Ｓ８参照）。
【００３５】
以上のように、本実施形態の画像形成装置１０は、通電により発熱するヒータ１５と、ヒータ１５の加熱により記録媒体に画像を熱定着させる定着部１２と、交流電源１１からヒータ１５に至る通電経路を導通状態又は切断状態のいずれかに切り替えるスイッチ部３０と、スイッチ部３０を駆動してヒータ１５への通電を制御する通電制御部２とを備え、通電制御部２は、ヒータ１５に流す電流値をゼロから目標値に立ち上げるまでの間に、電流波形の半波期間中Ｐ０に占める通電時間Ｐ１の割合であるデューティ比を目標値が得られるデューティ比よりも抑制するようにスイッチ部３０を駆動することにより、ヒータ１５に突入電流が流れることを抑制する位相制御を実行するように構成され、位相制御において異音が生じない又は生じる異音が所定音量以下となる異音抑制デューティ比Ｄ１が予め設定されており、通電制御部２は、位相制御の実行期間Ｔを、当該位相制御の実行期間Ｔの５０％を超える第一段階期間Ｔ１と残りの第二段階期間Ｔ２の二つの期間に区分し、第一段階期間Ｔ１では異音抑制デューティ比Ｄ１で通電し、その後の第二段階期間Ｔ２では異音抑制デューティ比Ｄ１よりも高い第二デューティ比Ｄ２で通電するように構成されている。
【００３６】
このように、異音が発生し得る位相制御を実行する期間のうち、異音が目立ちにくい異音抑制デューティ比で通電する第一段階期間を長く設定し、異音が目立つおそれのある第二段階期間を短く設定しているので、デューティ比をただ単に徐々に漸増させるだけの従来の位相制御に比して異音を目立ちにくくすることが可能となる。
【００３７】
特に、本実施形態では、第一段階期間Ｔ１は、位相制御の実行期間Ｔの７５％以上に設定されているので、異音抑制の効果をより一層顕著に奏することを可能にしている。
【００３８】
本実施形態では、通電により発熱するヒータ１５と、ヒータ１５の加熱により記録媒体１７に画像を熱定着させる定着部１２と、交流電源１１からヒータ１５に至る通電経路を導通状態又は切断状態のいずれかに切り替えるスイッチ部３０とを備える画像形成装置１０において、スイッチ部３０を駆動してヒータ１５への通電を制御するヒータへの通電制御方法を使用しているとも言える。この通電制御方法は、ヒータ１５に流す電流値をゼロから目標値に立ち上げるまでの間に、電流波形の半波期間中Ｐ０に占める通電時間Ｐ１の割合であるデューティ比Ｄ１（Ｄ２）を目標値が得られるデューティ比Ｄ０よりも抑制するようにスイッチ部３０を駆動することにより、ヒータ１５に突入電流が流れることを抑制する位相制御を実行するステップを含む。位相制御の実行期間Ｔを、位相制御の実行期間Ｔの５０％を超える第一段階期間Ｔ１と残りの第二段階期間Ｔ２の二つの期間に区分した場合に、第一段階期間Ｔ１では予め設定した異音抑制デューティ比Ｄ１で通電し、その後の第二段階期間Ｔ２では異音抑制デューティ比Ｄ１よりも高い第二デューティ比Ｄ２で通電する。このような通電制御方法を実行することにより、上記と同様に異音を目立ちにくくすることが可能となる。
【００３９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４０】
また、以上の実施形態では、本発明がプリンタに適用された場合について説明したが、このような構成に限らず、本発明は、複合機又はファクシミリなどの他の画像形成装置にも適用可能である。
【００４１】
なお、各部の具体的な構成は、上述した実施形態のみに限定されるものではなく、本発明の趣旨を逸脱しない範囲で種々変形が可能である。
【符号の説明】
【００４２】
１１…交流電源
１２…定着部
１５…ヒータ
１７…記録媒体
３０…スイッチ部
２…通電制御部
Ｐ０…半波期間
Ｐ１…通電時間
Ｄ０、Ｄ１、Ｄ０…デューティ比
Ｄ１…異音抑制デューティ比
Ｄ２…第二デューティ比
Ｔ…位相制御の実行期間
Ｔ１…第一段階期間
Ｔ２…第二段階期間
【図１】
2013167813.tif 000003
【図２】
2013167813.tif 000004
【図３】
2013167813.tif 000005
【図４Ａ】
2013167813.tif 000006
【図４Ｂ】
2013167813.tif 000007
【図５】
2013167813.tif 000008